(57)【要約】【課題】寸法を小さく抑えた状態で、大きな発光面積が得られる蛍光ランプを提供する。【解決手段】蛍光ランプ１は、発光管２と、発光管２が取り付けられる口金３とを備えている。発光管２は、バルブ４，５，６，７と、これらを連結するブリッジ８，９，１０とを備えている。バルブ４〜７は、それぞれスパイラル形状を呈し、直線状に並設されており、両端に位置するバルブ４，７では、口金３側の頂部４ａ，７ａに電極が封装されている。ブリッジ８〜１０は、隣り合う２つのバルブの頂部同士を連結し、この連結により、バルブ４〜７及びブリッジ８〜１０の内部に一つの連続した放電路が構成されている。【選択図】図１
2010272335.tif 000002
【特許請求の範囲】
【請求項１】
並設された複数のバルブを連結することで発光管が構成された蛍光ランプであって、
前記複数のバルブは、それぞれスパイラル形状を呈し、隣り合う２つのバルブの頂部同士が連結されていることを特徴とする蛍光ランプ。
【請求項２】
前記バルブの連結位置は、隣り合う２つのバルブの組毎に、一方側の頂部と他方側の頂部とに交互に変更されていることを特徴とする請求項１に記載の蛍光ランプ。
【請求項３】
前記複数のバルブは、直線状に並列されることを特徴とする請求項１又は２に記載の蛍光ランプ。
【請求項４】
前記複数のバルブは、四角形の四隅に位置するように並設されていることを特徴とする請求項１又は２に記載の蛍光ランプ。
【発明の詳細な説明】
【技術分野】
【０００１】
本発明は、寸法を小さく抑えた状態で、大きな発光面積が得られる蛍光ランプに関する。
【背景技術】
【０００２】
近年、Ｕ字、Ｈ字、或いはＷ字形状のバルブを複数連結し、この連結したバルブの両端に電極を設けることで、蛇行した放電路を構成したコンパクト型蛍光ランプが開発されている。
【０００３】
特許文献１には、上述のＵ字形状のバルブが複数連結されたコンパクト型蛍光ランプの例が開示されている。特許文献１の蛍光ランプでは、各バルブにおけるＵ字の２肢の各々が、蛍光ランプ本体の口金に接続されて、Ｕ字の中心線と略並行に延びる第１の直管部と、第１の直管部に続いて設けられ、Ｕ字の中心線に対して傾斜する捻れ部と、捻れ部に続いて設けられ、Ｕ字の中心線と略並行に延びる第２の直管部とから構成されている。
【先行技術文献】
【特許文献】
【０００４】
【特許文献１】特開２００５−１２９３７２号公報
【発明の概要】
【発明が解決しようとする課題】
【０００５】
ところで、寸法を小さく抑えた状態で大きな発光面積を得るためには、一定体積の空間における放電路長が長くなるように蛍光ランプの形状を設定する必要がある。この点に関し、特許文献１の蛍光ランプは、放電路長の長さを確保する上で不利な形状を有する直管部を必須の構成としている。このことから、特許文献１の蛍光ランプは、発光面積の向上を図るために改善の余地があるものと考えられる。
【０００６】
本発明はこうした状況に鑑みてなされたものであり、本発明の目的は、寸法を小さく抑えた状態で、大きな発光面積が得られる蛍光ランプを提供することである。
【課題を解決するための手段】
【０００７】
上記目的を達成するため、本発明に係る蛍光ランプは、並設された複数のバルブを連結することで発光管が構成された蛍光ランプであって、前記複数のバルブは、それぞれスパイラル形状を呈し、隣り合う２つのバルブの頂部同士が連結されていることを特徴とする。
【発明の効果】
【０００８】
本発明によれば、スパイラル形状のバルブを連結することで放電路を構成したことから、一定体積の空間における放電路長が長くなる。このことから本発明の蛍光ランプによれば、寸法を小さく抑えた状態で、大きな発光面積が得られる。
【図面の簡単な説明】
【０００９】
【図１】本発明の実施の形態における蛍光ランプの側面図である。
【図２】図１に示す蛍光ランプの平面図である。
【図３】本発明の変形例としての蛍光ランプの側面図である。
【図４】図３に示す蛍光ランプの平面図である。
【図５】本発明の他の変形例としての蛍光ランプの側面図である。
【図６】図５に示す蛍光ランプの平面図である。
【発明を実施するための形態】
【００１０】
以下、この発明の実施の形態１について図１，２を参照しながら詳細に説明する。なお、図中同一または相当部分には同一符号を付し、その説明は繰り返さない。図１は、実施の形態における蛍光ランプ１の側面図であり、図２は、実施の形態における蛍光ランプ１の平面図である。
【００１１】
蛍光ランプ１は、ＪＩＳ規格Ｃ７６０１に規定されるＦＭＬ型の蛍光ランプであって、発光管２と、発光管２が取り付けられる口金３とを備えている。
【００１２】
発光管２は、バルブ４，５，６，７と、これらを連結するブリッジ８，９，１０とを備え、バルブ４〜７及びブリッジ８〜１０は、ガラスから形成されている。
【００１３】
バルブ４〜７は、それぞれスパイラル形状を呈しており、図２に示すように、バルブ４、バルブ５、バルブ６、バルブ７の順に直線状に並設されている。両端に位置するバルブ４，７では、口金３側の頂部４ａ，７ａ（図１参照）に電極が封装されている。
【００１４】
ブリッジ８〜１０は、隣り合う２つのバルブの頂部を連結するものであって、この連結は、隣り合う２つのバルブの組毎（バルブ４，５の組、バルブ５，６の組、バルブ６，７の組毎）に、バルブの連結位置が、口金３側の頂部と口金３反対側の頂部とに交互に変更されるように行われている。すなわち、ブリッジ８は、バルブ４，５における口金３反対側の頂部４ｂ，５ｂを連結し、ブリッジ９は、バルブ５，６における口金３側の頂部５ａ，６ａを連結し、ブリッジ１０は、バルブ６，７における口金３反対側の頂部６ｂ，７ｂを連結している。この連結により、バルブ４〜７及びブリッジ８〜１０の内部に一つの連続した放電路が構成されている。
【００１５】
そして、放電路を構成するバルブ４〜７及びブリッジ８〜１０の内部には水銀と希ガスとしてのアルゴンガスとが封入されている。またバルブ４〜７及びブリッジ８〜１０の内壁面には紫外線を可視光に変換する蛍光体層が形成されている。
【００１６】
口金３は、絶縁体からなる口金ベース１２と、導電材料からなる口金ピン１３とから構成されている。
【００１７】
口金ベース１２は、バルブ４，７の頂部４ａ，７ａが挿入される挿入孔１２ａ（図２参照）を備えており、挿入孔１２ａに挿入されたバルブ４，７の頂部４ａ，７ａは、接着剤により口金ベース１２に接合される。
【００１８】
口金ピン１３は、口金ベース１２における発光管２反対側の端面１２ｂから突出して設けられており、バルブ４，７の頂部４ａ，７ａに封装された電極とリード線を介して接続される。
【００１９】
以上の構成を有する蛍光ランプ１では、口金ピン１３が照明器具のソケットに嵌合された状態で、照明器具からリード線を通じてバルブ４，７の電極に電圧が印加されると、バルブ４〜７及びブリッジ８〜１０内で放電が生じ、この放電によって発生した電子が水銀等に衝突することで紫外線が発生する。そして、この紫外線が、バルブ４〜７及びブリッジ８〜１０の内壁面に形成された蛍光体層により可視光に変換されることで、蛍光ランプ１は点灯する。
【００２０】
本実施形態によれば、スパイラル形状のバルブ４〜７を連結することで放電路を構成したことから、一定体積の空間における放電路長は長くなる。このことから、本実施の形態の蛍光ランプ１によれば、寸法を小さく抑えた状態で、大きな発光面積が得られる。
【００２１】
また、隣り合う２つのバルブの組毎（バルブ４，５の組、バルブ５，６の組、バルブ６，７の組毎）に、バルブの連結位置を、口金３側の頂部と口金３反対側の頂部とに交互に変更したことから、バルブ４〜７内部のほぼ全体が、放電路を構成する空間として有効に利用される。
【００２２】
本発明は、上記実施の形態に限らず、特許請求の範囲において種々変更することができる。以下、本発明の変形例について図を参照して説明する。なお以下に示す変形例において、図１，２に示す構成と対応する構成については、同一の符号を図に付して説明を省略する。
【００２３】
図３，４は、変形例としての蛍光ランプ１４を示す側面図及び平面図である。
【００２４】
蛍光ランプ１４は、ＪＩＳ規格Ｃ７６０１に規定されるＦＤＬ型の蛍光ランプであって、４つのバルブ１６，１７，１８，１９と、これらを連結するブリッジ２０，２１，２２（２１については図４参照）とから構成された発光管１５を備えている。
【００２５】
バルブ１６〜１９は、それぞれスパイラル形状を呈しており、四角形の四隅に位置するように並設されている。図４の左側に配置されるバルブ１６，１９には、口金３側頂部１６ａ，１９ａ（図３参照）に電極が封設されている。
【００２６】
バルブ１６〜１９の口金３側頂部１６ａ，１７ａ，１８ａ，１９ａは、挿入孔１２ａ（図４参照）から口金ベース１２の内部に挿入されて接着剤により口金ベース１２に固定されており、頂部１６ａ，１９ａに封設された電極は、リード線を介して口金ピン１３に接続される。
【００２７】
ブリッジ２０は、バルブ１６と、この右側に隣り合うバルブ１７との口金３反対側頂部１６ｂ，１７ｂを連結し、ブリッジ２１は、バルブ１７と、縦方向に隣り合うバルブ１８との口金３側頂部１７ａ，１８ａ（口金ベース１２の外側における範囲）を連結し、ブリッジ２２は、バルブ１８と、この左側に隣り合うバルブ１９との口金３反対側頂部１８ｂ，１９ｂを連結している。この結果、バルブ１６〜１９及びブリッジ２０〜２２によって一つの連続した放電路が構成されている。
【００２８】
図５，６は、他の変形例としての蛍光ランプ２４を示す側面図及び平面図である。
【００２９】
蛍光ランプ２４は、ＪＩＳ規格Ｃ７６０１に規定されるＦＰＬ型の蛍光ランプであって、発光管２５が、並設される２つのスパイラル形状のバルブ２６，２７と、これらを連結するブリッジ２８とから構成されている。
【００３０】
バルブ２６，２７の口金３側頂部２６ａ，２７ａには、電極が封設されている。この頂部２６ａ，２７ａは、挿入孔１２ａから口金ベース１２の内部に挿入されて接着剤により口金ベース１２に固定されており、頂部２６ａ，２７ａに封設された電極は、リード線を介して口金ピン１３に接続される。
【００３１】
ブリッジ２８は、バルブ２６，２７の口金３反対側頂部２６ｂ，２７ｂを連結している。この連結により、バルブ２６，２７及びブリッジ２８によって一つの連続した放電路が構成されている。
【００３２】
以上、図３〜６に示した蛍光ランプ１４，２４においても、スパイラル形状のバルブを複数連結することで放電路を構成したことから、一定体積の空間における放電路長は長くなる。このため、寸法を小さく抑えた状態で、大きな発光面積が得られる。
【００３３】
また図３，４に示した蛍光ランプ１４では、隣り合う２つのバルブの組毎（バルブ１６，１７の組、バルブ１７，１８の組、バルブ１８，１９の組毎）に、バルブの連結位置が、口金側の頂部と口金反対側の頂部とに交互に変更されていることから、バルブ１６〜１９内部のほぼ全体が、放電路を構成する空間として有効に利用される。
【００３４】
その他、本発明の好適な変形として、以下の構成が含まれる。
【００３５】
本発明の観点に係る蛍光ランプについて、好ましくは、バルブの連結位置は、隣り合う２つのバルブの組毎に、一方側の頂部と他方側の頂部とに交互に変更されていることを特徴とする。
【００３６】
また好ましくは、前記複数のバルブは、直線状に並列されることを特徴とする。
【００３７】
また好ましくは、前記複数のバルブは、四角形の四隅に位置するように並設されていることを特徴とする。
【符号の説明】
【００３８】
１，１４，２４  蛍光ランプ
２，１５，２５  発光管
３  口金
４，５，６，７，１６，１７，１８，１９，２６，２７  バルブ
４ａ，４ｂ，５ａ，５ｂ，６ａ，６ｂ，７ａ，７ｂ，１６ａ，１６ｂ，１７ａ，１７ｂ，１８ａ，１８ｂ，１９ａ，１９ｂ，２６ａ，２６ｂ，２７ａ，２７ｂ  頂部
８，９，１０，２０，２１，２２，２８  ブリッジ
１２  口金ベース
１２ａ  挿入孔
１２ｂ  端面
１３  口金ピン
【図１】
2010272335.tif 000003
【図２】
2010272335.tif 000004
【図３】
2010272335.tif 000005
【図４】
2010272335.tif 000006
【図５】
2010272335.tif 000007
【図６】
2010272335.tif 000008